(57)【要約】本発明は、データビットストリームのデータビットを、書き換え可能な光学媒体上に記録されるべきチャネルビットストリームのチャネルビットに符号化するための方法及び装置であって、前記チャネルビットストリームのデジタルサム値（ＤＳＶ）が制御される方法及び装置に関する。再生装置のエレクトロニクス又はソフトウェアのいかなる変更も必要としない符号化方法及び装置並びに光記録媒体を提供するために、本発明によれば、前記チャネルビットストリームのデジタルサム値は、チャネルビットストリームの新しい部分が記録媒体上に記録され始める場合又はチャネルビットストリームの古い部分が記録媒体上の同一の場所において書き換えられる場合に変更される。こうして、本発明による方法はいかなる既存の書き換え可能な光学媒体にも適用できる。
2004537138.tif 000002
【特許請求の範囲】
【請求項１】
データビットストリームのデータビットを、書き換え可能な光学媒体上に記録されるべきチャネルビットストリームのチャネルビットに符号化する方法であって、前記チャネルビットストリームのデジタルサム値が制御される符号化方法であって、
チャネルビットストリームの新しい部分が前記媒体上に記録され始める場合又はチャネルビットストリームの古い部分が前記媒体上の同一の場所において書き換えられ始める場合、前記チャネルビットストリームの前記デジタルサム値が変更されることを特徴とする符号化方法。
【請求項２】
前記チャネルビットストリームの新しい部分が前記媒体上に記録される場合、前記チャネルビットストリームの前記デジタルサム値が、変調プロセスの開始時にゼロに等しくないようにセットされることを特徴とする、請求項１に記載の符号化方法。
【請求項３】
前記チャネルビットストリームの古い部分が書き換えられる場合、特に前記チャネルビットストリームに含まれる管理情報の一部が書き換えられる場合、前記チャネルビットストリームの前記デジタルサム値が、以前にセットされた値と異なるように制御されることを特徴とする、請求項１に記載の符号化方法。
【請求項４】
前記デジタルサム値が、変調プロセスの開始時にランダムに選択されることを特徴とする、請求項１に記載の符号化方法。
【請求項５】
前記チャネルビットストリームの前記デジタルサム値が、変調プロセスの開始時にゼロに等しくないように及び／又は以前にセットされた値と異なるようにプリセットされることを特徴とする、請求項１に記載の符号化方法。
【請求項６】
前記チャネルビットストリームの前記デジタルサム値が、変調プロセスの開始時に、前記チャネルビットストリームについて計算されたデジタルサム値と異なるようにセットされることを特徴とする、請求項１に記載の符号化方法。
【請求項７】
データビットストリームのデータビットを、書き換え可能な光学媒体上に記録されるべきチャネルビットストリームのチャネルビットに符号化する装置であって、前記チャネルビットストリームのデジタルサム値を制御するための手段を有する符号化装置であって、
前記チャネルビットストリームの前記デジタルサム値を制御するための前記手段は、チャネルビットストリームの新しい部分が前記媒体上に記録され始める場合又はチャネルビットストリームの古い部分が前記媒体上の同一の場所において書き換えられ始める場合、前記デジタルサム値を変更するように構成されることを特徴とする符号化装置。
【請求項８】
請求項７に記載の符号化装置を有する、書き換え可能な光学媒体上においてデータを書き換えるための装置。
【請求項９】
請求項１に記載の符号化方法により符号化されたチャネルビットストリームを記憶する書き換え可能な光学媒体であって、前記チャネルビットストリームのデジタルサム値が制御される書き換え可能な光学媒体であって、
チャネルビットストリームの新しい部分が前記媒体上に記録され始める場合又はチャネルビットストリームの古い部分が前記媒体上の同一の場所において書き換えられ始める場合、前記チャネルビットストリームの前記デジタルサム値が変更されることを特徴とする媒体。
【請求項１０】
前記媒体が書き換え可能なＣＤ又はＤＶＤである、請求項９に記載の媒体。
【発明の詳細な説明】
【技術分野】
【０００１】
本発明は、データビットストリームのデータビットを、書き換え可能な光学媒体上に記録されるべきチャネルビットストリームのチャネルビットに符号化するための方法及び装置であって、前記チャネルビットストリームのデジタルサム値（digital sum value;ＤＳＶ）が制御される方法及び装置に関する。本発明は更に、そのような方法により符号化されたチャネルビットストリームを記憶する書き換え可能な光学媒体に関する。
【背景技術】
【０００２】
ＣＤ−ＲＷ、ＤＶＤ＋ＲＷのような書き換え可能な光学媒体は、反復的な書込み／消去サイクルののち記録位相変化材料の老化（エージング）を示すことが知られている。ダイレクトオーバーライトサイクル（ＤＯＷ）の数が理論的に評価され、ＣＤ−ＲＷ／ＤＶＤ＋ＲＷ／ＤＶＤ−ＲＷにおいて使用される記録材料に関して１０００を越えることが実験的にわかった。
【０００３】
全く同じチャネルビットパターンが記録媒体上の全く同じ場所に書き込まれるとき、ＤＯＷ性能は劇的に低下する。これは例えば、ファイルシステム領域、テーブルオブコンテンツ（ＴＯＣ）領域又は管理情報が記憶されている同様の領域における情報が、これらのデータの内容は変わらないままであるが何度も消去され書き換えられる場合に生じる。
【０００４】
別の状況は、符号器がそのパラメータの多くがデフォルト値にリセットされた状態になった後に書き込みを開始するリンクポイントの直後に発生する。これらのパラメータのうちの１つは、例えばＥＦＭ又はＥＦＭｐｌｕｓ変調のような変調の間又は後に入力データビットストリームからチャネルビットストリームを計算するために使用されるデジタルサム値（digital sum value;ＤＳＶ）である。デジタルサム値はリンク前にゼロの状態にされるので、ユーザデータが変わらない場合、新しいチャネルビットストリームは常に同一のビットから始まる。これもまたＤＯＷ性能を低下させる。
【０００５】
欧州特許出願第０ ９７４ ９５７ Ａ２号明細書には、光記録媒体に書き込みそこから読み出すための方法及び装置が開示されている。上述の明細書において、同じ書き込みデータが繰り返し光学記録媒体の同じ部分に書き込まれる場合でも、書き込みデータを変換することにより上書き可能な光ディスクの記録層への損傷が低減される。加えて、変換方法は上書き動作のたびにランダムに選択されるので、選択された変換方法を示す識別子が書き込まれる。しかしながら、提案された方法は特定の光学記録媒体に制限され、そのような光学記録媒体上に記憶されたデータを再生するためには再生装置において付加的な手段が必要とされる。
【発明の開示】
【発明が解決しようとする課題】
【０００６】
従って、本発明の目的は、再生装置の電子回路若しくは素子又はソフトウェアの変更を必要とせずにＤＯＷサイクルを増加させるための符号化方法及び装置並びに光学記録媒体を提供することである。更に、本発明による方法は、関係する信号処理にかかわりなく、例えばＤＶＤ−ＲＡＭのようないかなる既存の書き換え可能な光学媒体にも適用できる。
【課題を解決するための手段】
【０００７】
上述の目的は、チャネルビットストリームの新しい部分が記録媒体上に記録され始める場合又はチャネルビットストリームの古い部分が記録媒体上の同一の場所において書き換えられ始める場合、チャネルビットストリームのデジタルサム値が変更される、請求項１に記載の符号化方法によって達成される。上述した目的は、更に、制御するための適当な手段を有する請求項７に記載の符号化装置及び請求項１に記載の方法により符号化されたチャネルビットストリームを記憶する請求項９に記載の書き換え可能な光学媒体によって達成される。
【０００８】
本発明は、デジタルサム値を選ぶ際のいくつかの自由度があるという考えに基づき、これは特に、チャネルビットストリームの新しい部分を書き込み始めるとき又は記録媒体上のチャネルビットストリームの古い部分を書き換え始めるとき、すなわちリンクポイントのすぐあとにＤＯＷ性能を改善するために利用されることができる。従って、本発明によれば、そのようなポイントでデジタルサム値を変更すること、すなわちチャネルビットストリームの低周波成分を最小にするためにほとんどの場合はゼロであるデジタルサム値のデフォルト値を変えることが提案される。「新しい部分」とは、特定の媒体上にまだ記録されていないデータを意味し、対照的に、「古い部分」とは、特定の媒体上にすでに記録されているデータを意味することに留意すべきである。
【０００９】
好ましい実施例によると、前記チャネルビットストリームの新しい部分が記録媒体上に書き込まれる場合、前記チャネルビットストリームのデジタルサム値がゼロで始まらないようにそのデジタルサム値を制御することが提案される。これは、新しいデータが記録媒体に追加され又は書き込まれる場合、ゼロと異なる開始ＤＳＶ値が選択されることを意味する。しかしながら、それ以降の変調ルールは、既存の光ディスク規格に指定されるようにＤＳＶをゼロに向かわせる。
【００１０】
別の好ましい実施例によると、前記チャネルビットストリームの古い部分が書き換えられる場合、特に前記チャネルビットストリームに含まれる管理情報の一部が書き換えられる場合、前記チャネルビットストリームのデジタルサム値は、それが以前にセットされた値と異なるように制御される。この状況は、ファイルシステム、テーブルオブコンテンツ又は他の管理情報のような管理情報領域に記憶された情報が、これらのデータのほとんどは変わらないままであるが何度も消去され書き換えられるときに現れる。
【００１１】
本発明によれば、あるポイントでデジタルサム値を非最適値に強制的にセットすることが提案される。記憶されたデータの読み出し中、スライサはいくぶん違ったように対応する。しかしながら、読み出し信号のＤＣ値を計算するスライサは、そのような変化が記録媒体上の欠陥及びリンクポイントにおいても発生するので、そのような変化に対処するように設計される。開始のＤＳＶがたとえゼロと異なっていても、それはチャネル変調器によってゼロに向かうように最終的に制御されることが再度留意されるべきである。
【００１２】
好適には、デジタルサム値はランダムに選択される。代替として、デジタルサム値を以前にセットされた値と異なるようにするために、符号器内に以前にセットされたデジタルサム値を登録するためのレジスタが設けられる。
【００１３】
別の好ましい実施例において、記録されるべきチャネルビットストリームのデジタルサム値は、それが前記チャネルビットストリームについて計算されたデジタルサム値と異なるようにセットされる。これは、チャネルビットストリーム又はその一部、好適には開始部分について、デジタルサム値が正しく計算されることを意味する。しかしながら、計算値は使用されず、デジタルサム値は意図的に異なる値にセットされる。
【００１４】
本発明は更に、請求項７に記載の符号化装置を有する、請求項８に記載したＣＤ又はＤＶＤのような書き換え可能な光学媒体上のデータを書き換えるための装置に関する。
【００１５】
装置のみならず請求項９に記載した書き換え可能な光学媒体がさらに開発されることができ、本発明による符号化方法に関して上記で説明したのと同様の他の実施例をもつことができることが理解されるであろう。
【発明を実施するための最良の形態】
【００１６】
本発明について図面を参照して更に詳しく説明する。
【００１７】
図１は、好適には符号化され書き換え可能なＣＤ又はＤＶＤ上に記憶されるべきデータビットを符号化するために使用される本発明による符号化装置の簡潔なブロック図を示す。その中で、図示されないある回路（例えばアナログ−デジタル変換器）により出力されたユーザデータワードは、符号器１により符号化され、エラー訂正能力を具える。そのような符号器の例は、ＣＩＲＣ（クロスインターリーブドリードソロモン符号）又はＲＳＰＣ（リードソロモン積符号）である。得られたデータストリームは、そののちＣＤ用のＥＦＭ（８−１４変調）変調器及びＤＶＤ用のＥＦＭＰｌｕｓ変調器である変調器２に入力され、そこでデータワードはチャネルビットにマップされる。
【００１８】
最小及び最大ランレングスに関して要求される（ｄ，ｋ）制約を満たすために、デジタルサム値を計算し制御するための手段２１が設けられる。ＣＤシステムにおいて、データワードは変換テーブル２２の使用によりチャネルビットにマップされる。ＤＶＤシステムにおいて、デジタルサム値は、１次及び２次同期コード並びにデータワードをチャネルビットにマップするための変換テーブルとして使用される主テーブル２２及び代替（substitution）テーブル２３の２つのテーブルに基づいてより複雑な方法によって制御される。
【００１９】
本発明によると、ディスク３上にチャネルビットストリームの一部を書き込む前の特定のポイントにおいて、許容限度内で意図的にデジタルサム値を変更し、以前のものと異なるチャネルビットのシーケンスを生成するために、デジタルサム値は異なって選択される。
【００２０】
特に、チャネルビットストリームの新しい部分がディスク３上に記録される場合、書き込みの開始時に、ディスク３のＤＯＷ性能を低下させるであろう同一のビットストリームのディスク３上の同一の位置への記録を防ぐために、デジタルサム値はゼロと異なるように選択される。デジタルサム値が以前にセットされた値と異なるように及び／又はゼロと異なるように選択される他の状況は、ディスク３上の同一の場所においてチャネルビットストリームの古い部分が書き換えられるときである。これもまたディスク３のＤＯＷ性能を低下させるからである。すべての他の状況においては、デジタルサム値は、対応する光ディスク規格に従って最小にされ、可能な限りゼロに近づけられる。
【００２１】
規格に従って計算されるデジタルサム値か別の値かの選択を行うために、特にスイッチを有するＤＳＶ制御ユニット２４が設けられ、これはユニット２１により制御される。こうしてＤＳＶ制御ユニット２４は、ライン２５を通して供給される規格に従って計算されたＤＳＶ値か、ＤＳＶレジスタ２６にプリセットされたＤＳＶ値かを選択することができる。ＤＳＶレジスタ２６に記憶された値は、既知の装置ではゼロにセットされ、この値は変調プロセスの開始時に使用される。本発明によれば、この値は、ゼロと異なるようにセットされ、ユーザ又は特別なアルゴリズムによって変更されることもできる。変調プロセスの間、規格に従って計算されライン２５を通して供給されるＤＳＶ値が選択され、ユニット２１に帰還される。
【００２２】
本発明による符号化装置の他の実施例が図２に示されている。図１に示す装置との唯一の違いは、ＤＳＶレジスタを設ける代わりに、デジタルサム値をランダムに生成するＤＳＶランダム発生器２７が設けられることである。このように、新しいデータを記録し始めるたびに又はディスク上の同一の場所に古いデータを書き換えるたびに、また特にリンクポイントにおいても、既知の方法に従ってゼロに等しいデジタルサム値を使用する代わりに、ランダムに選択されたデジタルサム値がＤＳＶ制御ユニット２４によって使用されてもよい。
【００２３】
本発明によれば、再生装置のソフトウェア又はハードウェアのいかなる変更も行う必要なく、書き換え可能な光学媒体のＤＯＷ性能が改善される。本発明は更に、既存の光記録媒体に適用されてもよい。
【図面の簡単な説明】
【００２４】
【図１】本発明による符号化装置の第１の実施例を示す図。
【図２】本発明による符号化装置の第２の実施例を示す図。
【図１】
2004537138.tif 000003
【図２】
2004537138.tif 000004
【国際公開パンフレット】
2004537138.tif 000005
2004537138.tif 000006
2004537138.tif 000007
2004537138.tif 000008
2004537138.tif 000009
2004537138.tif 000010
2004537138.tif 000011
2004537138.tif 000012
2004537138.tif 000013
2004537138.tif 000014
【国際公開パンフレット（コレクトバージョン）】
2004537138.tif 000015
【国際調査報告】
2004537138.tif 000016
2004537138.tif 000017
2004537138.tif 000018
2004537138.tif 000019